(57)【要約】【課題】本体の形を変更することができる趣向性に富んだ帽子を提供する。【解決手段】好みに応じて頭部装着部３の長さ、鍔部４の傾斜方向を自由に変更して形状を変えることができる。即ち、サンバイザー１は、プリーツ９が形成された閉状態とプリーツ９が開いて本体２が下方へ延びる開状態に動作自在であり、しかも閉状態と開状態を保持することが可能であり、表面側と裏面側のいずれを上にしても被ることができる。従って、本体２の形状を自由に変更できる。なお、サンバイザー１はスカーフ風やブレスレット風のアクセサリーとしても楽しむことが可能である。【選択図】        図２
0003189411.tif 000002
【実用新案登録請求の範囲】
【請求項１】
頭部に装着する頭部装着部と、前記頭部装着部の周方向に突出する鍔部とを有する本体を備え、前記本体には複数のプリーツが周方向に並んで備えられており、前記複数のプリーツは、プリーツが形成された閉状態とプリーツが開いて前記本体が上下方向へ延びる開状態に動作自在であり、しかも前記閉状態と開状態を保持することが可能であることを特徴とする帽子。
【請求項２】
請求項１に記載した帽子において、複数のプリーツの始端が本体の一端側に設けられ、前記複数のプリーツの一部は、その終端が本体の先端部に向かって延び、他のプリーツは、その終端が前記本体の他端側に到達していることを特徴とする帽子。
【請求項３】
請求項１または２に記載した帽子において、表面側、裏面側のいずれも上側にして頭部に装着できることを特徴とする帽子。
【請求項４】
請求項１から３のいずれかに記載した帽子において、本体は複数のプリーツに沿う方向に延びる横糸と、前記横糸に交差する方向へ延びる縦糸を織って構成されていることを特徴とする帽子。
【請求項５】
請求項４に記載した帽子において、横糸はアバカ繊維によって構成されていることを特徴とする帽子。
【考案の詳細な説明】
【技術分野】
【０００１】
本考案は帽子に係り、特に本体の形状を変更することができる帽子に関するものである。
【背景技術】
【０００２】
特許文献１に示されているように帽子は頭部装着部と鍔部を有している。ところで、特に女性用の帽子は、単に頭部の保護、日除け等の機能面の用途だけではなく、ファションの一部として重要なものとなっている。
【先行技術文献】
【特許文献】
【０００３】
【特許文献１】特開２０１０−２２２７６１号公報
【考案の概要】
【考案が解決しようとする課題】
【０００４】
しかしながら、上記従来の帽子は一種類のものについて形状を変更することはできず、趣向性にやや欠けるものとなっている。
【０００５】
本考案は上記従来の問題に着目して為されたものであり、形状を大きく変更することができる趣向性に富んだ帽子の提供を、その目的とする。
【課題を解決するための手段】
【０００６】
本考案は上記課題を解決するためになされたものであり、請求項１の考案は、頭部に装着する頭部装着部と、前記頭部装着部の周方向に突出する鍔部とを有する本体を備え、前記本体には複数のプリーツが周方向に並んで備えられており、前記複数のプリーツは、プリーツが形成された閉状態とプリーツが開いて前記本体が上下方向へ延びる開状態に動作自在であり、しかも前記閉状態と開状態を保持することが可能であることを特徴とする帽子である。
【０００７】
請求項２の考案は、請求項１に記載した帽子において、複数のプリーツの始端が本体の一端側に設けられ、前記複数のプリーツの一部は、その終端が本体の先端部に向かって延び、他のプリーツは、その終端が前記本体の他端側に到達していることを特徴とする帽子である。
【０００８】
請求項３の考案は、請求項１または２に記載した帽子において、表面側、裏面側のいずれも上側にして頭部に装着できることを特徴とする帽子である。
【０００９】
請求項４の考案は、請求項１から３のいずれかに記載した帽子において、本体は複数のプリーツに沿う方向に延びる横糸と、前記横糸に交差する方向へ延びる縦糸を織って構成されていることを特徴とする帽子である。
【００１０】
請求項５の考案は、請求項４に記載した帽子において、横糸はアバカ繊維によって構成されていることを特徴とする帽子である。
【考案の効果】
【００１１】
本考案の帽子によれば、プリーツを開いたり、閉じたりすることで、形状を大きく変更できる。従って、趣向性に富んだ帽子の提供が可能となる。
【図面の簡単な説明】
【００１２】
【図１】本考案の実施の形態に係る帽子の表面側から見た平面図である。
【図２】図１の帽子をその表面側を上にして装着した状態の正面図である。
【図３】本考案の実施の形態に係る帽子の裏面側から見た平面図である。
【図４】図１の帽子をその裏面側を上にして装着した状態の正面図である。
【図５】図１の帽子を構成する布の平面図である。
【図６】図１の帽子をスカーフ風のアクセサリーとして首に装着した状態の正面図である。
【図７】図１の帽子をブレスレット風のアクセサリーとするために変形させる手順を説明するための図である。
【図８】図１の帽子をブレスレット風のアクセサリーとして手首に装着した状態の正面図である。
【考案を実施するための形態】
【００１３】
本考案の実施の形態に係る帽子としてのサンバイザー１を図面にしたがって説明する。
符号２は本体を示し、この本体２は頭部装着部３と鍔部４とを有している。
図５に示すように本体２は略扇形の布１１によって構成されており、この布１１を二点鎖線で示す部位で折ってプリーツ９を形成する。そして、布１１の前記二点鎖線に沿う方向の直辺１１ａの寸法Ｌａは６５０ｍｍであり、もう一方の直辺１１ｂの寸法Ｌｂは５８０ｍｍである。
【００１４】
布１１は縦糸１３と、この縦糸１３に交差する方向へ延びる横糸１５とから成る織物によって構成され、この織物は表面側から裏面側を透視できる程度に粗く織られている。縦糸１３はポリエステル繊維から成り、横糸１５はアバカ繊維から成る。縦糸１３、横糸１５は１インチで１８本から３６本、より好適には２２本から３２本配置されている。縦糸１３、横糸１５の直径は０．１ｍｍ〜０．３ｍｍである。なお、布１１には縁かがりが施されている。
【００１５】
前述のように布１１にプリーツ９を形成し、２０本のプリーツ９の始端を広がらないように辺１１ａの一端側において纏めて互いに縫い付けると共に、その端部の外側（図５において下側）に面ファスナー５の雄側部５ａを取り付ける。また、２０本のプリーツ９の一部である３本のプリーツ９の終端は辺１１ａの他端側において纏めて互いに縫い付けると共に、その端部の内側（図５において上側）に面ファスナー５の雌側部５ｂを取り付ける。そして、残りの１７本のプリーツ９の終端は布１１の円弧状辺１１ｃ、すなわち本体２の先端部に向かって延びている。
辺１１ａを湾曲させて、前述のように面ファスナー５の雄側部５ａと雌側部５ｂとを連結して、本体２を環状とする。
【００１６】
上記のように本体２を環状とした状態では、プリーツ９は円弧状に湾曲する。このように、本体２には約２０本のプリーツ９が形成されており、これらのプリーツ９は本体２の周方向に並んで備えられている。
プリーツ９の始端９ａは本体２の一端側に設けられ、２０本のプリーツ９のうちの一部である１７本のプリーツ９は、その終端９ｂが本体２の先端部２ａに向かって延び、残り３本のプリーツ９は、その終端９ｃが本体２の他端側に到達している。
そして、前述の横糸１５はプリーツ９に沿う方向へ延び、縦糸１３は横糸１５に交差する方向へ延びることになる。
【００１７】
プリーツ９は、プリーツ９が形成された閉状態と、プリーツ９が開いて無くなり本体２が上下方向へ延びる開状態に動作自在であり、しかも閉状態と開状態を保持することが可能であって、サンバイザー１は表面側、裏面側のいずれも上側にして頭部に装着することができるようになっている。
【００１８】
次に、このサンバイザー１の使用方法について説明する。
図１にサンバイザー１を表面側から見た平面図を示す。サンバイザー１の表面を上にした状態では、同図において本体２の略右半分の領域にプリーツ９が多く備えられる。
図２に示すように表面を上側にしてサンバイザー１を被り、プリーツ９形成された閉状態からプリーツ９を開いて、頭部装着部３が上下方向へ延びる開状態とし、且つ鍔部４の略左半部が略右半部より下方へ傾斜する形状とする。
【００１９】
図３にサンバイザー１を裏面側から見た平面図を示す。サンバイザー１の裏面を上にした状態では同図において、本体２の略左半分の領域にプリーツ９が多く備えられる。
図４に示すように裏面を上側にしてサンバイザー１を被り、プリーツ９形成された閉状態からプリーツ９を開いて、頭部装着部３が上下方向へ延びる開状態とし、且つ鍔部４の略右半部が略左半部より下方へ傾斜する形状とする。
【００２０】
上記した本体２の形状の変更は一例であって、プリーツ９の開き具合を調整することによって頭部装着部３の長さ、鍔部４の傾斜方向を自由に変更し、好みに応じて本体２の形状を変えることができる。即ち、サンバイザー１は、プリーツ９が形成された閉状態とプリーツ９が開いて本体２が上下方向へ延びる開状態に動作自在であって、しかも閉状態と開状態を保持することが可能であり、表面側と裏面側のいずれを上にしても被ることができる。従って、本体２の形状を自由に変更できる。よって、趣向性に富んだ帽子の提供を実現することが可能となる。
【００２１】
図６に示すようにサンバイザー１は頭部装着部３を首に通して装着すれば、スカーフ風のアクセサリーとしても使用することができる。
図７（ａ）に示すように環状とした頭部装着部３を、（ｂ）に示すように略中心部で捻って「八の字状」にして形成された二つの輪を（ｃ）に示すように重ねる。そして、図８に示すように頭部装着３によって形成された二つの輪に手を通して手首に装着し、ブレスレット風のアクセサリーとしても使用することができる。
上記のようにサンバイザー１はスカーフ風やブレスレット風のアクセサリーとしても楽しむことが可能である。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では帽子としてサンバイザーを示したが、本考案はこれに限定されず、頭部装着部に頭頂部を覆う覆い部を備えた構成の帽子とすることも可能である。
【００２３】
また、プリーツの数は適宜変更でき、更に終端が本体の先端部に向かって延びるプリーツの数、終端が本体の他端側に到達するプリーツの数も適宜変更できる。このように、プリーツの数を変更することで、帽子のデザインも異なる印象のものとすることが可能である。
更に、縦糸、横糸を構成する材料はポリアミド合成繊維等の人工繊維、綿等の天然繊維あるいは合成繊維と天然繊維とを混合したもの等を適宜組み合わせて使用することが可能である。
帽子のサイズを決める布の寸法も適宜変更できることは勿論である。
【産業上の利用可能性】
【００２４】
本考案の帽子は帽子製造業において、利用可能性を有する。
【符号の説明】
【００２５】
１…サンバイザー      ２…本体      ２ａ…本体の先端部
３…頭部装着部      ４…鍔部      ５…面ファスナー
５ａ…面ファスナーの雄側部      ５ｂ…面ファスナーの雌側部
９…プリーツ        １１…布
１１ａ…布の直辺        １１ｂ…布の直辺      １１ｃ…布の円弧状辺
１３…縦糸        １５…横糸
Ｌａ…布の直辺１１ａの寸法      Ｌｂ…布の直辺１１ｂの寸法
【図１】
0003189411.tif 000003
【図２】
0003189411.tif 000004
【図３】
0003189411.tif 000005
【図４】
0003189411.tif 000006
【図５】
0003189411.tif 000007
【図６】
0003189411.tif 000008
【図７】
0003189411.tif 000009
【図８】
0003189411.tif 000010